(57)【特許請求の範囲】
【請求項１】
側板に支点を中心として回動自在に取り付けられた大屋根を開閉するためのグランドピアノの大屋根開閉装置であって、
前記大屋根の裏面に固定され、前記支点の回動軸線と垂直な方向に前記大屋根に沿って延びる固定ロッドと、
この固定ロッドにその長さ方向に沿って移動自在に嵌合する中空のスライダと、
一端部が前記スライダに、他端部が前記側板の前記大屋根の前記支点と反対側の位置に、それぞれ回動自在に取り付けられた可動ロッドと、
前記スライダ内に、前記固定ロッドが上下方向の遊びをもって上側から対向するように設けられ、前記大屋根が閉鎖方向に回動するときに、前記固定ロッドが当接することにより、当該固定ロッドに摩擦力を加えることによって前記大屋根を制動するとともに、前記大屋根が開放方向に回動するときに、前記固定ロッドが離れることによって、非制動状態で前記大屋根の回動を許容するブレーキと、
を備えていることを特徴とするグランドピアノの大屋根開閉装置。
【請求項２】
前記ブレーキは、その摩擦力が調整可能に構成されていることを特徴とする、請求項１に記載のグランドピアノの大屋根開閉装置。
【請求項３】
前記ブレーキは、前記スライダの側壁に進退自在に貫通してねじ込まれた調整ねじと、前記スライダ内に突出した前記調整ねじの先端部に取り付けられたブレーキ材とを有することを特徴とする、請求項２に記載のグランドピアノの大屋根開閉装置。
【発明の詳細な説明】
【０００１】
【発明の属する技術分野】
本発明は、側板に回動自在に取り付けられた大屋根を開閉するためのグランドピアノの大屋根開閉装置に関する。
【０００２】
【従来の技術】
図５は、従来のグランドピアノの一般的な大屋根開閉装置を示している。このグランドピアノ５０の大屋根２は、一般にラワン合板などから成り、大屋根後３と、大屋根後３に対して後方に折たたみ自在の大屋根前（図示せず）とで構成されている。大屋根後３は、その低音側端部が、蝶番４を介して、側板５に回動自在に取り付けられており、裏面の所定位置には、２つの突揚棒受皿６、６が左右方向に並んで設けられている。一方、側板５は、内蔵したフレームや響板（いずれも図示せず）などとともにピアノ本体を構成しており、高音部側の内面には、互いに異なる長さの大中小の大屋根突揚棒８ａ、８ｂ、８ｃの各一端部が、支軸７を介して回動自在に取り付けられている。
【０００３】
以上の構成により、例えば、ピアノの非使用時や練習時には、図５（ｂ）に示すように、側板５の内部機構を保護すべく、大屋根突揚棒８ａ〜８ｃはすべて折りたたまれ、大屋根２は閉じた状態とされる。一方、演奏会においてピアノを独奏する場合などには、大屋根２の高音部側を持ち上げた状態で、大屋根突揚棒（大）８ａを起こし、その先端部を中央寄りの突揚棒受皿６に係合させることによって、大屋根２は、大きな角度で傾斜した大開放位置（同図（ａ）の位置）に保持される。また、他の楽器とのアンサンブル演奏を行う場合などには、共演者が見えるようにするために、大屋根突揚棒（中）８ｂまたは大屋根突揚棒（小）８ｃを、側板５寄りの突揚棒受皿６に係合させることによって、大屋根２は、より小さな角度で傾斜した中開放位置または小開放位置に保持される。同図（ｃ）は、小開放位置を示している。
【０００４】
【発明が解決しようとする課題】
しかし、上記従来の大屋根開閉装置では、大屋根２の端部が蝶番４を介して単純に取り付けられているだけなので、大屋根２を開閉するのに、一方の手で大屋根２を支えながら、他方の手で大屋根突揚棒８ａ〜８ｃを操作しなければならない。一方、大屋根２は、面積がかなり大きく、フルコンサートピアノでは総重量が４０〜５０ｋｇにも及ぶ。このため、女性や子供の力では大屋根２を容易に開閉できないとともに、開閉操作の途中で支えきれなくなることで、大屋根２が自重で勢いよく閉じてしまい、大屋根２や側板５を損傷させるなどの不具合が生じるおそれがある。特に、大屋根２を大開放位置から閉鎖する場合には、その間、大屋根２を片手で持ち続け、ゆっくり閉じながら、大屋根突揚棒（大）８ａを折りたたむことが必要になるとともに、大屋根２が高音部側からかなり遠い位置にあって、無理な姿勢で操作することになるため、上記のような不具合が生じやすくなる。
【０００５】
このため、このような不具合を解消するための大屋根開閉装置が、従来から提案されており、例えば、本出願人が開示した特開平９−１７９５５０号公報が知られている。この大屋根開閉装置は、一端部が大屋根の裏面に回動自在に取り付けられたアームと、ピアノ本体内に設けられ、アームの他端部を係止する係止機構と、を備えている。この係止機構は、アームの他端部を係止可能な複数の係止凹部を左右方向に並ぶように形成した第１経路と、この第１経路の上側または下側に連なり、これと左右方向に延びる平坦な第２経路と、を有している。そして、大屋根を開放する場合には、その高音側の端部を両手で持ち上げることで、それに伴い低音部側に移動するアームの他端部を第１経路に沿って案内するようにし、複数の係止凹部の１つに係止させることにより、大屋根は、その１つの係止凹部に対応した開放角度に保持される。また、大屋根を閉鎖する場合には、大屋根をその最大開放角度を若干超える角度まで一旦持ち上げることで、アームの他端部を第１経路から第２経路に移動させた後、大屋根を降ろすことによって、アームの他端部を第２経路の上に沿って滑らせながら、大屋根を閉鎖する。
【０００６】
このように、この従来の大屋根開閉装置は、大屋根突揚棒が廃止されていて、大屋根の開閉操作を両手で容易に行えるとともに、特に、大屋根の開放時には、係止凹部により、操作中における大屋根の閉鎖側への戻りを阻止しながら、大屋根を所定の開放角度に保持できるという利点がある。しかし、この大屋根開閉装置では、大屋根を閉鎖する際、アームの他端部を第２経路側に移動させるために、大屋根をその最大開放角度よりも若干大きな角度まで一旦持ち上げなければならないため、途中の開放角度からの閉鎖ができず、不便である。また、大屋根の閉鎖の際には、アームの他端部を平坦な第２経路上に沿って滑らせるようにするので、その途中で誤って大屋根から手を離したような場合には、大屋根が勢い良く閉じることで、大屋根や側板の損傷などの不具合を招くおそれがある。
【０００７】
本発明は、このような課題を解決するためになされたものであり、安価かつ単純な構成で、女性や子供でも、大屋根を容易に且つ確実にゆっくりと閉じることができ、それにより大屋根および側板の損傷を確実に防止することができる、グランドピアノの大屋根開閉装置を提供することを目的としている。
【０００８】
【課題を解決するための手段】
この目的を達成するため、本発明は、側板に支点を中心として回動自在に取り付けられた大屋根を開閉するためのグランドピアノの大屋根開閉装置であって、大屋根の裏面に固定され、支点の回動軸線と垂直な方向に大屋根に沿って延びる固定ロッドと、この固定ロッドにその長さ方向に沿って移動自在に嵌合する中空のスライダと、一端部がスライダに、他端部が側板の大屋根の支点と反対側の位置に、それぞれ回動自在に取り付けられた可動ロッドと、スライダ内に、固定ロッドが上下方向の遊びをもって上側から対向するように設けられ、大屋根が閉鎖方向に回動するときに、固定ロッドが当接することにより、固定ロッドに摩擦力を加えることによって大屋根を制動するとともに、大屋根が開放方向に回動するときに、固定ロッドが離れることによって、非制動状態で大屋根の回動を許容するブレーキと、を備えていることを特徴としている。
【０００９】
このグランドピアノの大屋根開閉装置によれば、大屋根が回動するのに伴い、その裏面に固定された固定ロッドに沿ってスライダがスライドするとともに、このスライダに回動自在に取り付けられた可動ロッドが、側板の大屋根の支点と反対側の位置を中心として回動する。また、スライダ内には、固定ロッドに上下方向の遊びをもって下側から対向するブレーキが設けられている。この構成により、大屋根を閉鎖方向へ回動させた場合には、これに固定された固定ロッドは、スライダに先行して閉鎖方向すなわち下方に回動することで、ブレーキに当接した状態になる。これにより、固定ロッドがブレーキから摩擦力を受けることによって、大屋根が制動され、減速される。この場合、固定ロッドが、大屋根の支点の回動軸線と垂直な方向に延びているので、ブレーキの制動力を、固定ロッドを介して大屋根に効果的に作用させることができる。したがって、女性や子供でも、大屋根の閉鎖を小さな操作力で容易に行えるとともに、その途中で誤って大屋根から手を離した場合でも、これを確実にゆっくり閉じることができる。その結果、大屋根が勢い良く閉じるという事態を完全に回避できることで、大屋根および側板が損傷するなどの不具合を確実に防止することができる。
【００１０】
一方、大屋根を開放方向に回動させた場合には、固定ロッドは、スライダに先行して開放方向すなわち上方に回動することで、ブレーキから離れたフリーな状態になる。これにより、固定ロッドおよび大屋根にはブレーキの摩擦力が作用しなくなるので、大屋根を、ブレーキの制動力を受けないフリーな状態で、円滑に開放することができる。また、この大屋根開閉装置は、大屋根の閉鎖時の制動を、固定ロッドに当接するブレーキの摩擦力を利用して行うので、この制動力を得るためにオイルダンパやエアダンパなどを用いたものと比較して、構成が単純で安価であるとともに、故障しにくいなどの利点が得られる。
【００１１】
この場合、ブレーキは、その摩擦力が調整可能に構成されていることが好ましい。
【００１２】
この構成では、ブレーキの摩擦力を調整することにより、大屋根に対する制動力を変化させることができ、したがって、使用者が、好みや大屋根の重さに応じて、大屋根の閉鎖速度および閉鎖時の操作力を任意に調整することができる。
【００１３】
さらにこの場合、ブレーキは、スライダの側壁に進退自在に貫通してねじ込まれた調整ねじと、スライダ内に突出した調整ねじの先端部に取り付けられたブレーキ材とを有することが好ましい。
【００１４】
この構成では、調整ねじを回すことにより、その先端部に取り付けたブレーキ材と固定ロッドとの間の遊び量を変えることによって、ブレーキの摩擦力を容易に調整でき、請求項２に係る装置を安価かつ単純な構成で実現することができる。
【００１５】
【発明の実施の形態】
以下、本発明の好ましい実施形態を、図面を参照しながら説明する。図１は、本発明の実施形態による大屋根開閉装置を適用したグランドピアノ１を示している。なお、以下の説明では、グランドピアノ１の構成要素のうち、図５に示した従来のグランドピアノ５０と共通のものについては、同じ参照番号を用いるものとする。
【００１６】
同図に示すように、大屋根２は、従来と同様、大屋根後３と、大屋根後３に対して後方に折たたみ自在の大屋根前（図示せず）とで構成されている。また、大屋根後３は、その低音側端部が、蝶番４（支点）を介して、側板５の内側面の所定位置に回動自在に取り付けられている。なお、図示しないが、大屋根２を所定の開放角度に保持するために、大屋根後３の裏面の自由端部側には２つの突揚棒受皿が、側板５の高音側の内側面には大中小３本の大屋根突揚棒が、従来と同様にそれぞれ設けられている。
【００１７】
本発明に係る大屋根開閉装置は、図２に示すようなブレーキ機構１１で構成されている。このブレーキ機構１１は、丸棒状の固定ロッド１２と、この固定ロッド１２に緩く嵌合するスリーブ状のスライダ１３と、このスライダ１３に一端部が回動自在に連結された可動ロッド１４を備えている。また、固定ロッド１２の両端部には取付具１５、１５が固定され、可動ロッド１４の他端部には取付具１６が回動自在に取り付けられている。なお、これらの取付具１５、１６およびスライダ１３は、例えば硬質のプラスチックで構成され、固定ロッド１２および可動ロッド１４は、例えばスチールやアルミニウムなどの金属で構成されている。
【００１８】
また、スライダ１３には、大屋根２の閉鎖時に固定ロッド１２に当接して、大屋根２を制動・減速するためのブレーキ１７が設けられている。図３および図４に示すように、このブレーキ１７は、スライダ１３の側壁に貫通してねじ込まれた左右２つの調整ねじ１８、１８と、各調整ねじ１８のスライダ１３内に突出した先端部に取り付けられた板状のブレーキ材１９で構成されている。ブレーキ材１９は、高い摩擦係数および耐摩耗性を有するプラスチックやレザーなどで構成されている。各ブレーキ材１９は、固定ロッド１２との間に上下方向の若干の遊びＰをもって下側から対向しており、この遊び量Ｐは、調整ねじ１８を回すことによって調整可能である。
【００１９】
以上の構成を有するブレーキ機構１１は、あらかじめアセンブリとして組み立てられた後、図１に示すように、その取付具１５、１５を大屋根後３の裏面にねじ（図示せず）で固定することによって、固定ロッド１２が蝶番４の回動軸線と垂直に左右方向に延びように、大屋根後３に取り付けられる。また、可動ロッド１４は、取付具１６を側板５の高音側の内側面にねじ（図示せず）で固定することによって、側板５に回動自在に取り付けられている。
【００２０】
次に、上記構成の大屋根開閉装置の動作を、図１、図３および図４を参照しながら説明する。大屋根２が回動するのに伴い、スライダ１３が固定ロッド１２に沿ってスライドするとともに、可動ロッド１４が取付具１６を中心として回動する。図１（ａ）は、大屋根２の高音部側を持ち上げて開放方向（矢印Ａ方向）に回動させている状態を示している。図３に示すように、この状態では、大屋根後３に固定されている固定ロッド１２が、スライダ１３に先行して開放方向に回動するため、両ブレーキ材１９、１９から離れたフリーな状態になる。その結果、固定ロッド１２および大屋根２にはブレーキ材１９の摩擦力がまったく作用しないので、大屋根２を、ブレーキ１７の制動力を受けないフリーな状態で、円滑に開放することができる。なお、以上のようにして、大屋根２を所望の開放角度に回動させた状態で、突揚棒受皿に大屋根突揚棒を係合させることにより、大屋根２はその開放角度に保持される。
【００２１】
一方、図１（ｂ）は、大屋根２を閉鎖方向（矢印Ｂ方向）に回動させている状態を示している。図４に示すように、この状態では、固定ロッド１２がスライダ１３に先行して閉鎖方向に回動するため、両ブレーキ材１９、１９に当接した状態になる。これにより、固定ロッド１２がブレーキ材１９から摩擦力を受けることによって、大屋根２が制動され、減速される。この場合、固定ロッド１２が、大屋根２の蝶番４の回動軸線と垂直な方向に延びているので、ブレーキ１７の制動力を、固定ロッド１２を介して大屋根２に効果的に作用させることができる。したがって、女性や子供でも、大屋根２の閉鎖を小さな操作力で容易に行えるとともに、その途中で誤って大屋根２から手を離した場合でも、これを確実にゆっくり閉じることができる。その結果、大屋根２が勢い良く閉じるという事態を完全に回避できることで、大屋根２および側板５が損傷するなどの不具合を確実に防止することができる。
【００２２】
また、調整ねじ１８、１８を回し、ブレーキ材１９、１９と固定ロッド１２との間の遊び量Ｐを変えることによって、ブレーキ材１９の摩擦力を容易に調整できる。これにより、大屋根２に対する制動力が変化するので、使用者が、好みや大屋根２の重さに応じて、大屋根２の閉鎖速度および閉鎖時の操作力を任意に調整することができる。
【００２３】
また、この大屋根開閉装置は、大屋根２の閉鎖時の制動を、固定ロッド１２に当接するブレーキ材１７の摩擦力を利用して行うので、この制動力を得るためにオイルダンパやエアダンパなどを用いたものと比較して、構成が単純で安価であるとともに、故障しにくいなどの利点を得ることができる。さらに、制動力を調整するための構成も、単純な調整ねじ１８によって、容易かつ安価に実現することができる。
【００２４】
なお、本発明は、説明した実施形態に限定されることなく、種々の態様で実施することができる。例えば、実施形態では、ブレーキ機構を格別に構成しているが、同様の構成を有する市販のものを採用することも可能である。それにより、材料コストおよび製造コストをさらに削減することができる。また、実施形態では、ブレーキ機構が１個で、ブレーキ材１９を２個、設けた例であるが、これらの数を増やして、より大きな制動力を得るようにしてもよい。
【００２５】
さらに、実施形態は、本発明をグランドピアノに適用した例であるが、本発明を、大屋根を有するグランドピアノ型の電子ピアノに適用してもよいことは、もちろんである。その他、本発明の趣旨の範囲内で、細部を適宜、変更することが可能である。
【００２６】
【発明の効果】
以上詳述したように、本発明のグランドピアノの大屋根開閉装置は、安価かつ単純な構成で、女性や子供でも、大屋根を容易に且つ確実にゆっくりと閉じることができ、それにより大屋根および側板の損傷を確実に防止することができるなどの効果を有している。
【図面の簡単な説明】
【図１】本発明の一実施形態による大屋根開閉装置を適用したグランドピアノを、大屋根を（ａ）開放操作している状態、および（ｂ）閉鎖操作している状態において示す正面図である。
【図２】ブレーキ機構の正面図である。
【図３】大屋根を開放操作しているときのブレーキの状況を示す（ａ）斜視図および（ｂ）断面図である。
【図４】大屋根を閉鎖操作しているときのブレーキの状況を示す（ａ）斜視図および（ｂ）断面図である。
【図５】従来の一般的な大屋根開閉装置の、図１と同様の正面図である。
【符号の説明】
１  グランドピアノ
２  大屋根
３  大屋根後
４  蝶番（支点）
５  側板
１１  ブレーキ機構
１２  固定ロッド
１３  スライダ
１４  可動ロッド
１７  ブレーキ
１８  調整ねじ
１９  ブレーキ材
Ｐ  固定ロッドとブレーキ材との間の遊び
【図１】
0003626391.tif 000002
【図２】
0003626391.tif 000003
【図３】
0003626391.tif 000004
【図４】
0003626391.tif 000005
【図５】
0003626391.tif 000006